(57)【要約】【課題】  引戸のスムーズな閉操作をアシストできる建具の提供。【解決手段】  横枠１，９と、引戸２ａ，２ｂと、引戸閉アシスト機構３とを備え、引戸閉アシスト機構３は、引戸２ａ，２ｂに設けてあり、開フック４を枠１の開トリガ５と係止した状態で引戸２ａ，２ｂを開けることで引戸２ａ，２ｂを閉じる方向に付勢力を蓄積し、引戸２ａ，２ｂを所定位置まで閉じたときに、閉フック６が枠１の閉トリガ７と係止して付勢力を解放するものであり、開フック４及び閉フック６は、常時突出する方向に付勢されており、引戸２ａ，２ｂを横枠１，９間にけんどんで建て込む際に横枠１に当接して自動的に退避する。【選択図】      図１
2019131959.tif 000002
【特許請求の範囲】
【請求項１】
横枠と、引戸と、引戸閉アシスト機構とを備え、引戸閉アシスト機構は、引戸に設けてあり、開フックを枠の開トリガと係止した状態で引戸を開けることで引戸を閉じる方向に付勢力を蓄積し、引戸を所定位置まで閉じたときに、閉フックが枠の閉トリガと係止して付勢力を解放するものであり、開フック及び閉フックは、常時突出する方向に付勢されており、引戸を横枠間にけんどんで建て込む際に横枠に当接して自動的に退避することを特徴とする建具。
【発明の詳細な説明】
【技術分野】
【０００１】
本発明は、引戸の閉操作をアシストする引戸閉アシスト機構付きの建具に関する。
【背景技術】
【０００２】
近年の建具は、高断熱化のために引戸の重量が増加しており（例えば、非特許文献１参照）、それに伴って引戸の開閉が重くなっており、引戸を閉じる際に引戸が閉じ切らなかったりする不都合がある。
【先行技術文献】
【非特許文献】
【０００３】
【非特許文献１】三協立山アルミ株式会社発行のカタログ「マディオＰ  総合カタログ」（カタログＮｏ．ＳＴＪ０９５３Ａ  ＴＳ．１４．０２−２５０）、２０１４年２月、ｐ．７２
【発明の概要】
【発明が解決しようとする課題】
【０００４】
本発明は以上に述べた実情に鑑み、引戸のスムーズな閉操作をアシストできる建具の提供を目的とする。
【課題を解決するための手段】
【０００５】
上記の課題を達成するために請求項１記載の発明による建具は、横枠と、引戸と、引戸閉アシスト機構とを備え、引戸閉アシスト機構は、引戸に設けてあり、開フックを枠の開トリガと係止した状態で引戸を開けることで引戸を閉じる方向に付勢力を蓄積し、引戸を所定位置まで閉じたときに、閉フックが枠の閉トリガと係止して付勢力を解放するものであり、開フック及び閉フックは、常時突出する方向に付勢されており、引戸を横枠間にけんどんで建て込む際に横枠に当接して自動的に退避することを特徴とする。
【発明の効果】
【０００６】
請求項１記載の発明による建具は、引戸に引戸閉アシスト機能が設けてあり、引戸閉アシスト機構は、開フックを枠の開トリガと係止した状態で引戸を開けることで引戸を閉じる方向に付勢力を蓄積し、引戸を所定位置まで閉じたときに、閉フックが枠の閉トリガと係止して付勢力を解放することで、引戸のスムーズな閉操作をアシストできる。さらに、開フック及び閉フックは、常時突出する方向に付勢されており、引戸を横枠間にけんどんで建て込む際に横枠に当接して自動的に退避するので、通常の引戸と同様に引戸を横枠間にけんどんで建て込むことができる。
【図面の簡単な説明】
【０００７】
【図１】（ａ）本発明に係る建具の一実施形態を示す室内側正面図であり、（ｂ）は開フックの周辺を拡大して示す室内側正面図であり、（ｃ）は閉フックの周辺を拡大して示す室内側正面図である。
【図２】同建具の縦断面図である。
【図３】同建具の室内側から見た全体姿図である。
【図４】（ａ）は図１のＡ−Ａ断面図、（ｂ）は図１のＢ−Ｂ断面図である。
【図５】引戸の開操作時における引戸閉アシスト機構の動作を示す室内側正面図であって、（ａ）は引戸を閉め切った状態、（ｂ）は引戸が開き始めて付勢力を蓄積している途中の状態、（ｃ）は付勢力の蓄積が完了したときの状態、（ｄ）は付勢力の蓄積を完了した後に引戸をさらに開き、開フックが開トリガを乗り越えるときの状態、（ｅ）は引戸をさらに開けた状態を示す。
【図６】引戸の閉操作時における引戸閉アシスト機能の動作を示す室内側正面図であって、（ａ）は引戸を閉め始めたときの状態、（ｂ）は閉フックが閉トリガと係合し付勢力が解放される直前の状態、（ｃ）は閉フックが閉トリガと係合し、解放された付勢力により引戸が閉じている状態、（ｄ）は引戸が閉じ切った状態を示す。
【図７】引戸を上下枠間にけんどんで建て込むときの状態を示す縦断面図である。
【図８】引戸を上下枠間にけんどんで建て込むときの状態を示す室内側正面図である。
【図９】本発明に係る建具の他の実施形態を示す室内側正面図である。
【発明を実施するための形態】
【０００８】
以下、本発明の実施の形態を図面に基づいて説明する。図１〜４は、本発明に係る建具の一実施形態を示している。本建具は、引違いのテラス窓（掃出し窓）に適用したものであって、図２，３に示すように、躯体に取付けられる枠８と、枠８内に引違い状に開閉自在に納めた外障子（引戸）２ａと内障子（引戸）２ｂとを備えている。
枠８は、上枠１と下枠９と左右の縦枠１０，１０を枠組みして構成してある。外障子２ａと内障子２ｂは、上框１１と下框１２と戸先框１３と召合せ框１４とを框組みし、その内側に複層ガラス１５を嵌め込んで構成してある。
上框１１は、図２，４に示すように、室外側寄りに上枠１のレール１６を呑み込むレール呑み込み溝１７を有し、レール呑み込み溝１７の室内側に隣接して上向きに開口した収納溝１８が設けてあり、その収納溝１８に収納して引戸閉アシスト機構３が設けてある。戸先框１３の上端部と召合せ框１４の上端部には、障子２ａ，２ｂの室内外方向の振れを抑える振れ止め５５が設けてあり、引戸閉アシスト機構３は上枠１のレール１６の室内側の戸先側と戸尻側の振れ止め５５，５５間に配置されている。
【０００９】
外障子２ａの引戸閉アシスト機構３と内障子２ｂの引戸閉アシスト機構３は、左右反転して取付けてあるだけで同じものであり、以下、外障子２ａの引戸閉アシスト機構３の構造と動きについて説明する。
図１，４に示すように、引戸閉アシスト装置３は、上框１１の収納溝１８に収納して固定されるケース１９と、ケース１９の上部に左右方向に移動可能に設けた移動ラック２０と、移動ラック２０の戸先側端部に見込方向のピン２１で連結して設けた開フック取付部材２２と、開フック取付部材２２に見込方向の軸２３で軸着した開フック４と、ケース１９下部に移動ラック２０と対向して設けた固定ラック２４と、移動ラック２０及び固定ラック２４と噛み合うピニオンギア２５と、戸先側端部にピニオンギア２５が軸着されたスライダー２６と、スライダー２６の戸尻側端部に軸２７ａ，２７ｂを係合して設けた閉フック６と、スライダー２６の戸尻側端部に連結したコイルバネ２８及びダンパー２９を備えている。
【００１０】
ケース１９は、図１，４に示すように、上側が開放した断面コ字型に形成され、室内外の壁３０に開フック４の軸２３を案内する開フック案内溝３１と、ピニオンギア２５の軸３２を案内するピニオンギア案内溝３３と、閉フック６の軸２７ａ，２７ｂを案内する閉フック案内溝３４が設けてある。開フック案内溝３１は、水平なストレート部３５と、ストレート部３５の戸先側端部に設けた下向き突部３６を有している。閉フック案内溝３４は、水平なストレート部３７と、ストレート部３７の戸先側端部と戸尻側端部にそれぞれ設けた下向き突部３８ａ，３８ｂを有している。
【００１１】
開フック４は、図１（ｂ）に示すように、戸尻側に垂直面３９を有すると共に、戸先側を円弧面４０に形成して、上側が細くなるように形成してあって、上端部が上框１１上縁より突出している。開フック４は、見込方向の軸２３で開フック取付部材２２に軸着され、軸２３を支点として時計方向にのみ回転できるように設けてある。軸２３の周りには、復帰用のバネ４１が設けてある。
【００１２】
ピニオンギア２５は、図１（ｂ）に示すように、大ギア４２と小ギア４３を同心円状に一体に設けてあり、大ギア４２が移動ラック２０と噛み合い、小ギア４３が固定ラック２４と噛み合っている。大ギア４２と小ギア４３のギア比は、５：３にしてある。
【００１３】
スライダー２６の戸尻側端部には、図１（ｃ）に示すように、上縁より係合溝４４ａ，４４ｂが２列設けてあり、その係合溝４４ａ，４４ｂに閉フック６に挿通した２本の軸２７ａ，２７ｂがそれぞれ係合している。閉フック６は、上縁部に凹部４５を設けて戸先側と戸尻側に突部４６ａ，４６ｂが形成してある。閉フック６は、戸先側がバネ４７で引っ張られることで、戸尻側が高くなるように傾いた姿勢に保持されており、戸尻側の突部４６ｂが上框１１上縁より突出している。
【００１４】
コイルバネ２８は、図１に示すように、戸先側の端部がスライダー２６と連結され、戸尻側の端部がネジ５３と螺合した移動コマ４８に連結してあり、障子２ａ，２ｂを枠８に建て込んだ状態で、戸尻側からネジ５３を工具で操作することで、移動コマ４８が左右方向に移動してコイルバネ２８が伸び縮みし、付勢力を調整することができる。
【００１５】
図１，４に示すように、上枠１の下面には開トリガ５と閉トリガ７が設けてある。開トリガ５は、戸先側に垂直面４９を有し、その戸尻側に戸尻側に向かうにつれて高くなるように傾斜した傾斜面５０を有している。閉トリガ７は、閉フック６の凹部４５よりも左右方向の幅の狭い凸部５１を有している。
図４に示すように、開フック４はケース１９の室内側寄りに設けてあり、閉フック６はケース１９の室外側寄りに設けてあり、開トリガ５と閉トリガ７はこれに対応して見込方向に位置をずらして設けてある。したがって、障子２ａ，２ｂの開閉時に開フック４は閉トリガ７とは当たらないようになっている。
【００１６】
外障子２ａと内障子２ｂは、通常のサッシと同じように、上下枠１，９のレール１６，５２間に上下けんどんにて建て込まれる。その際、図７（ｂ）と図８（ｂ）に示すように、開フック４は上端が上枠１下面に当接すると軸２３を支点に時計方向に回転して自動的に退避し、閉フック４は戸尻側の突部４６ｂの上端が上枠１下面に当接すると戸先側の軸２７ａを支点として時計方向に回転して自動的に退避する。その後、障子２ａ，２ｂを下に下げると、開フック４と閉フック６はバネ４１，４７の作用により図１に示す元の姿勢に復帰する。
【００１７】
次に、障子２ａの開閉時の引戸閉アシスト機構３の動きを説明する。図５（ａ）は障子２ａを閉じ切った状態を示しており、このときコイルバネ２８は最も縮んだ状態で、移動ラック２０とスライダー２６は最も戸尻側に移動した位置にあり、開フック４は開トリガ５から戸先側に少し離れた位置にあり、閉フック６は戸尻側の突部４６ｂが閉トリガ７の戸尻側に位置している。
障子２ａが開き始めると、図５（ｂ）に示すように、開フック４が開トリガ５に引っ掛かることで、開フック４及び移動ラック２０の移動が規制され、ピニオンギア２５は固定ラック２４があるために半時計方向に回転して戸先側に向けて移動し、ピニオンギア２５と一体となったスライダー２６及び閉フック６も戸先側に向けて移動し、この間にコイルバネ２８が引っ張られて障子２ａが閉じる方向の付勢力が蓄積される。
その後、図５（ｃ）に示すように、ピニオンギア２５が固定ラック２４の戸先側端部付近まで移動すると、閉フック４の戸先側の軸２７ａがケース１９の閉フック案内溝３１の戸先側の下向き突部３８ａに落ち込むことでコイルバネ２８が最も伸びた状態で保持され、付勢力の蓄積が完了する。
その後、図５（ｄ）に示すように、開フック４の軸２３がケース１９の開フック案内溝３１の下向き突部３６に落ち込むことで、開フック取付部材２２がピン２１を支点として下向きに回転し、開フック４が開トリガ５を乗り越える。
その後は、図５（ｅ）に示すように、付勢力を蓄積したままの状態で障子２ａが開く。その際、先に述べたように開フック４は閉フック６と見込方向に位置をずらしてあるため、開フック４は閉トリガ７と干渉しない。
【００１８】
図６は障子２ａを閉じるときの引戸閉アシスト機構３の動きを示している。図６（ａ）に示すように、障子２ａが閉じてくると開フック４が開トリガ５と干渉するが、開フック４の上端が開トリガ５下面の傾斜面５０に押されることで開フック４が時計回りに回転し、開トリガ５を乗り越える。
さらに障子２ａが閉じると、図６（ｂ）に示すように、閉フック６の戸尻側の突部４６ｂが閉トリガ７に当たることで、閉トリガ７が戸尻側の軸２７ｂを支点として時計方向に回転し、戸先側の軸２７ａがケース１９の閉フック案内溝３４の下向き突部３８ａから脱する。
その後、図６（ｃ）に示すように、閉フック６が閉トリガ７に引っ掛かった状態で、コイルバネ２８に蓄積した付勢力により障子２ａが閉まる。このとき、ダンパー２９の働きにより障子２ａはゆっくり閉まる。
障子２ａが閉じ切ると、図６（ｄ）に示すように、閉フック６の軸２７ｂがケース１９の閉フック案内溝３４の戸尻側の下向き突部３８ｂに落ち込むことで、閉フック６が閉トリガ７から離れる。
【００１９】
本引戸閉アシスト機構３は、コイルバネ２８に付勢力を蓄積するとき（図５（ｂ）参照）の障子２ａの開方向の移動量が、コイルバネ２８に蓄積した付勢力が解放されるとき（図６（ｃ）参照）の障子２ａの閉方向の移動量よりも長くなっている。この移動量の比は、ピニオンギア２５の大ギア４２と小ギア４３のギア比によって決まり、具体的にはコイルバネ２８に付勢力を蓄積するときの障子２ａの開方向の移動量は１７４ｍｍ、コイルバネ２８に蓄積した付勢力が解放されるときの障子２ａの閉方向の移動量は６７ｍｍとなっている。このように、付勢力を蓄積する際の障子２ａの開方向の移動量を長く、付勢力が解放されるときの障子２ａの閉方向の移動量を短くすることで、障子２ａを開ける際の抵抗を小さくできると共に、障子２ａが閉じる力を大きくして、テラス窓の重い障子であっても確実に閉め切ることができる。
【００２０】
図９は、本発明の建具の他の実施形態であって、開トリガ５と閉トリガ７を一つのトリガ５４で兼用する場合を示している。引戸閉アシスト機構３は、これまでに説明したものと同じものを用いている。
この場合、全閉時における開フック４とトリガ５４との間隔が長くなるため、障子２ａを開ける際に、開け始めてから付勢力の蓄積を開始するまでの間が長くなる。それ以外は、これまでに説明したものと同じように動作する。
【００２１】
以上に述べたように本建具は、引戸（外障子２ａ、内障子２ｂ）に引戸閉アシスト機能３が設けてあり、引戸閉アシスト機構３は、開フック４を枠１の開トリガ５と係止した状態で引戸２ａ，２ｂを開けることで引戸２ａ，２ｂを閉じる方向に付勢力を蓄積し、引戸２ａ，２ｂを所定位置まで閉じたときに、閉フック６が枠１の閉トリガ７と係止して付勢力を解放することで、引戸２ａ，２ｂのスムーズな閉操作をアシストできる。さらに、開フック４及び閉フック６は、常時突出する方向に付勢されており、引戸２ａ，２ｂを横枠（上枠１、下枠９）間にけんどんで建て込む際に横枠１に当接して自動的に退避するので、通常の引戸と同様に引戸２ａ，２ｂを横枠１，９間にけんどんで建て込むことができる。
引戸閉アシスト機構３は、上枠１のレール１６の室内側の戸先側と戸尻側の振れ止め５５，５５間に配置されているため、雨水が引戸閉アシスト機構３に浸入し難い。また、内外の障子に取り付け可能で、網戸の取り付けにも邪魔にならない。
本建具は、付勢力を蓄積する際の引戸２ａ，２ｂの開方向の移動量を、付勢力が解放されるときの引戸２ａ，２ｂの閉方向の移動量より長くすることで、引戸２ａ，２ｂを開ける際の抵抗を小さくできると共に、引戸２ａ，２ｂが閉じる力を大きくして、テラス窓の重い引戸であっても確実に閉め切ることができる。
また本建具は、引戸２ａ，２ｂを閉め切った状態で開フック４が開トリガ５から離間しており、引戸２ａ，２ｂが少し開いてから付勢力の蓄積を開始するので、引戸２ａ，２ｂを開き始める際に引戸が重くならず、スムーズに開けることができる。
本建具は、引戸２ａ，２ｂを枠８に建て込んだままの状態で、戸尻側からネジ５３を操作することで、付勢力の調整が簡単に行える。
引戸閉アシスト機構３を引戸の室内側面に取付ける場合には、内障子２ｂにしか引戸閉アシスト機構３を設置できないが、上框１１内に収納することで外障子２ａと内障子２ｂの両方に引戸閉アシスト機構３を設置できる。
また本建具は、引戸閉アシスト機構３を上框１１に収納したので、外観及び内観意匠が通常のサッシと変わらず、意匠性が良い。また、引戸閉アシスト機構３の設置・撤去が容易で、外した場合でもサッシとして機能する。さらに、既存のサッシでもガラスをそのまま使用し、上框１１のみの取替えで設置可能である。
【００２２】
本発明は以上に述べた実施形態に限定されない。引戸閉アシスト機構の具体的な構造は、適宜変更することができる。開フックと閉フックの形状や動き方は、適宜変更することができ、例えば単に上下にスライドするものであってもよい。本建具は、引違い窓に限らず、片引き窓に適用することもできる。
【符号の説明】
【００２３】
１  上枠（横枠）
２ａ  外障子（引戸）
２ｂ  内障子（引戸）
３  引戸閉アシスト機構
４  開フック
５  開トリガ
６  閉フック
７  閉トリガ
【図１】
2019131959.tif 000003
【図２】
2019131959.tif 000004
【図３】
2019131959.tif 000005
【図４】
2019131959.tif 000006
【図５】
2019131959.tif 000007
【図６】
2019131959.tif 000008
【図７】
2019131959.tif 000009
【図８】
2019131959.tif 000010
【図９】
2019131959.tif 000011